(57)【要約】  強化無線アップリンク（ＵＬ  Ｅ−ＤＣＨ）の構成設定を可能にするために，ネットワーク要素間のインタフェース（Ｉｕｂ／Ｉｕｒ）上で用いるパラメータを定義した。ネットワーク内のＩｕｂ／Ｉｕｒインタフェース上でＵＬ  Ｅ−ＤＣＨを提供するために，基本情報要素（ＩＥ）が定義されている。Ｉｕｂ／Ｉｕｒを介する通信のための特定のパラメータを示した。ＵＬ  Ｅ−ＤＣＨチャンネルを設定及び再構成できるように，ＲＮＣとＮｏｄｅ  Ｂとの間のＩｕｂ／Ｉｕｒインタフェースを介する通信のための特定のパラメータが示されている。特定のメッセージ又は情報要素に限定されず，指定されたプロトコルにおける任意の選択されたメッセージに適用できる柔軟性を有する。
2007529938.tif 000002
【特許請求の範囲】
【請求項１】
ユーザ装置（１６０）からネットワーク要素（１３２）への無線アップリンク（１３６）を構成設定するための方法であって，
前記無線アップリンクに前記構成設定をするために，前記ネットワーク要素と無線ネットワークコントローラ（１３０）との間のインタフェース（１３３，１３４）上の１以上のメッセージによってセル特定パラメータ，無線リンク特定パラメータ又はその双方を有する情報要素を送信するステップと，
前記ネットワーク要素と前記ユーザ装置との間の信号通知の後，前記ネットワーク要素において前記無線アップリンクを構成設定するステップと，
ペイロードパケットを前記無線ネットワークコントローラへ送信するために前記ネットワーク要素において前記アップリンクを構成設定した後に，前記ユーザ装置から前記ネットワーク要素へ前記無線アップリンクを介して前記ペイロードパケットを送信するステップとを有する方法。
【請求項２】
前記ネットワーク要素から前記ユーザ装置への無線ダウンリンク上の前記ネットワーク要素において前記ペイロードパケットが正しく受信されたことを肯定応答するステップと，
前記ユーザ装置からの前記の正しい受信に続いて，前記ネットワーク要素から前記無線ネットワークコントローラへ前記ペイロードパケットを送信するステップとを更に有する請求項１に記載の方法。
【請求項３】
他のネットワーク要素（１１０）と前記ユーザ装置との間のアップリンクを構成設定するために，前記無線ネットワークコントローラ（１３０）と他の無線ネットワークコントローラ（１００）との間のインタフェース（１４０，１５０）上の前記情報要素を前記の他のネットワーク要素へ中継するために送信するステップを更に有する請求項１に記載の方法。
【請求項４】
移動体通信システムであって，
該移動体通信システムが，ユーザ装置（１６０）からネットワーク要素（１３２）への無線アップリンク（１３６）を構成設定するための信号インタフェース（１３３，１３４）によって接続された前記ネットワーク要素（１３２）及び無線ネットワークコントローラ（１３０）を備え，パラメータを含む情報要素を有するメッセージを搬送するための前記インタフェースは，
セル特定パラメータ，無線リンク特定パラメータ又はその双方を有する情報要素が，
前記ネットワーク要素と前記ユーザ装置との間の信号通知の後，前記ネットワーク要素において前記無線アップリンクに前記の構成設定をするために，前記ネットワーク要素（１３２）と前記無線ネットワークコントローラ（１３０）との間で前記インタフェース（１３３，１３４）の１以上のメッセージによって搬送され，かつ，
ペイロードパケットが，該ペイロードパケットを前記無線ネットワークコントローラへ送信するために前記ネットワーク要素において前記アップリンクを構成設定した後に，前記ユーザ装置から前記ネットワーク要素へ前記無線アップリンクを介して送信されることを特徴とするシステム。
【請求項５】
前記ペイロードパケットの受信が，前記ネットワーク要素から前記ユーザ装置への無線ダウンリンク（１３８）上の前記ネットワーク要素によって肯定応答され，かつ，前記ペイロードパケットが前記ユーザ装置からの受信に引き続いて，前記ネットワーク要素から前記無線ネットワークコントローラへ送信されることを更に特徴とする請求項４に記載のシステム。
【請求項６】
前記情報要素が，前記無線ネットワークコントローラ（１３０）と他の無線ネットワークコントローラ（１００）との間のインタフェース（１４０，１５０）を介して，他のネットワーク要素（１１０）へ中継するために送信されることを更に特徴とする請求項５に記載のシステム。
【請求項７】
計算機可読媒体内の少なくとも一時記憶のためのデータ構造であって，該データ構造は，ユーザ装置（１６０）からネットワーク要素（１３２又は１１０）への無線アップリンクを構成設定するために，前記ネットワーク要素（１３２又は１１０）と無線ネットワークコントローラ（１３０又は１００）との間のインタフェース（１３３，１３４又は１２０，１２２）上で１以上のメッセージによって転送される，セル特定パラメータ，無線リンク特定パラメータ又はその双方を有する情報要素を含み，ここで前記の構成設定は，前記無線アップリンクを介して前記ユーザ装置から前記ネットワーク要素へ，そして該ネットワーク要素から前記無線ネットワークコントローラへペイロードパケットを送信できるようにするために，前記ネットワーク要素において実行されるデータ構造。
【請求項８】
前記ユーザ装置から前記ネットワーク要素への前記ペイロードパケットの送信に引き続いて，前記ネットワーク要素から前記ユーザ装置への無線ダウンリンク上の前記ネットワーク要素によって前記ペイロードパケットが正しく受信されたことの肯定応答と，前記ネットワーク要素から前記無線ネットワークコントローラへの前記ペイロードパケットの送信とが行われることを特徴とする請求項７に記載のデータ構造。
【請求項９】
ユーザ装置（１６０）からネットワーク要素（１３２）への無線アップリンク（１３６）を構成設定するための無線ネットワークコントローラ（１３０）であって，
前記無線アップリンクに前記の構成設定をするために，前記ネットワーク要素（１３２）と前記無線ネットワークコントローラ（１３０）との間の第１のインタフェース（１３３，１３４）上の１以上のメッセージによって，セル特定パラメータ，無線リンク特定パラメータ又はその双方を有する情報要素を伝送するための前記第１のインタフェース（１３３，１３４）と，
前記無線ネットワークコントローラ（１３０）と，第２のネットワーク要素（１１０）に接続（１２０，１２２）されている第２の無線ネットワークコントローラ（１００）との間の第２のインタフェース（１４０，１５０）上の前記の１以上のメッセージによって，セル特定パラメータ，無線リンク特定パラメータ又はその双方を有する情報要素を伝送するための前記第２のインタフェース（１４０，１５０）とを備え，
そこで１以上のメッセージ内のセル特定情報，無線リンク特定情報又はその双方を有する前記情報要素は，
前記第２のネットワーク要素（１１０）と前記ユーザ装置（１６０）との間の第２の無線アップリンク（１８０）と，
前記第１のインタフェース（１３３，１３４）を介して前記ネットワーク要素（１３２）からペイロードパケットを受信するための第１の無線ネットワークコントローラ（１３０）と，
前記ペイロードパケットが前記第２の無線アップリンク（１８０）を介して前記ユーザ装置から前記第２のネットワーク要素（１１０）によって受信された後に，前記第２のネットワーク要素（１１０）から前記ペイロードパケットを受信するための前記第２の無線ネットワークコントローラ（１００）と，
前記ペイロードパケットを前記第２の無線ネットワークコントローラ（１００）から前記第１の無線ネットワークコントローラ（１３０）へ転送するために，前記ペイロードパケットが前記ユーザ装置（１６０）から前記第２のネットワーク要素によって受信された後に，前記第２のネットワーク要素（１１０）から前記無線ネットワークコントローラ（１３０）へ前記の受信したペイロードパケットを送信するための前記第２のネットワーク要素（１１０）とを構成設定するためのものである無線ネットワークコントローラ。
【請求項１０】
ユーザ装置（１６０）から前記ネットワーク要素への無線アップリンク（１３６又は１８０）上のアップリンクチャネルを受信するためのネットワーク要素（１３２又は１１０）であって，
前記無線アップリンク上の前記アップリンクチャネルを構成設定するために，前記ネットワーク要素と無線ネットワークコントローラ（１３０又は１００）との間の１以上のメッセージによって，セル特定パラメータ，無線リンク特定パラメータ又はその双方を有する情報要素を伝送するための非無線インタフェース（１３３，１３４又は１２０，１２２）と，
前記ネットワーク要素と前記ユーザ装置との間の前記アップリンクチャネルのための前記構成設定に関連する信号を伝送するための無線インタフェースと，
前記無線リンク上の前記アップリンクチャネルの前記構成設定が前記ネットワーク要素によって実行された後，前記無線アップリンクを介して前記ユーザ装置から前記ネットワーク要素へペイロードパケットを受信するための無線インタフェースとを備え，
ここで前記非無線インタフェース（１３３，１３４又は１２０，１２２）は，前記ペイロードパケットが前記ユーザ装置（１６０）から前記ネットワーク要素（１３２又は１１０）によって受信された後に，前記ネットワーク要素から前記無線ネットワークコントローラ（１３０又は１００）へ前記ペイロードパケットを搬送するためのものであるネットワーク要素。
【請求項１１】
ユーザ装置からネットワーク要素（１３２又は１１０）への強化アップリンク（１３６又は１８０）上でパケットを伝送するためのユーザ装置（１６０）であって，
前記ユーザ装置は，該ユーザ装置と前記ネットワーク要素との間の無線インタフェースを介して信号を送信及び受信するためのアンテナに共に接続された送信機（１９２）及び受信機（１９０）を備え，
ここで前記ユーザ装置はまた，ユーザ装置（１６０）からネットワーク要素（１３２）への無線アップリンク（１３６）を構成設定するための前記ネットワーク要素と前記ユーザ装置との間の信号を処理するための制御部（１９４）を含み，
ここで情報要素は，前記無線アップリンクに前記構成設定をするために，前記ネットワーク要素と無線ネットワークコントローラ（１３０）との間のインタフェース（１３３，１３４）上の１以上のメッセージによって，セル特定パラメータ，無線リンク特定パラメータ又はその双方を有して送信され，
ここで前記無線アップリンクは，前記ネットワーク要素と前記ユーザ装置との間の信号通知の後に，前記ネットワーク要素，前記ユーザ装置又はその双方において構成設定され，
そしてここでペイロードパケットは，前記無線アップリンクが構成設定された後，前記無線アップリンクを介して前記ユーザ装置から前記ネットワーク要素へ送信され，次に前記ネットワーク要素から前記無線ネットワークコントローラへ送信されるユーザ装置。
【請求項１２】
計算機可読媒体内の少なくとも一時記憶のためのデータ構造であって，該データ構造は，前記ユーザ装置から前記ネットワーク要素（１３２又は１１０）への無線アップリンクを構成設定するために，ネットワーク要素（１３２又は１１０）とユーザ装置（１６０）との間のインタフェース（１３６，１３８又は１７０，１８０）上で１以上のメッセージによって転送される，セル特定パラメータ，無線リンク特定パラメータ又はその双方を有する情報要素を含み，ここで前記の構成設定は，前記無線アップリンクを介して前記ユーザ装置から前記ネットワーク要素へ，そして該ネットワーク要素から前記無線ネットワークコントローラへペイロードパケットを送信できるようにするために，前記ネットワーク要素，前記ユーザ装置又はその双方において実行されるデータ構造。
【請求項１３】
前記ユーザ装置から前記ネットワーク要素への前記ペイロードパケットの送信に引き続いて，前記ネットワーク要素から前記ユーザ装置への無線ダウンリンク上の前記ネットワーク要素によって前記ペイロードパケットが正しく受信されたことの肯定応答と，前記ネットワーク要素から前記無線ネットワークコントローラへの前記ペイロードパケットの送信とが行われることを特徴とする請求項１２に記載のデータ構造。
【発明の詳細な説明】
【技術分野】
【０００１】
本発明は，強化された移動体通信アップリンク（ユーザ装置からネットワーク方向への無線リンク）に関し，より特定すれば，移動体通信ネットワーク内の強化を行うために，第３世代無線ネットワークコントローラ（ＲＮＣ）と基地局（Ｎｏｄｅ  Ｂ）との間で必要とされるメッセージの内容に関する。
【背景技術】
【０００２】
第３世代パートナシッププロジェクト（３ＧＰＰ）は，ＤＣＨ（専用チャネル）の性能を向上させるために，２００２年１０月にリリース６の研究課題”専用トランスポートチャネルのためのアップリンク強化”について合意した。この研究課題の根拠は，ＩＰ（インターネットプロトコル）に基づくサービスの利用がより重要になりつつあるので，アップリンクの遅延を減少させると共に，そのカバー範囲及びスループットを改善する要求が高まっていることにある。強化アップリンク専用チャネル（ＵＬ  Ｅ−ＤＣＨ）から恩恵を受けるアプリケーションとしては，ビデオクリップ，マルチメディア，電子メール，テレマティクス，ゲーム，ビデオストリーミング，などのようなサービスがある。この研究課題は，アップリンク専用トランスポートチャネルの性能を向上させるために，ＵＭＴＳ（Universal Mobile Telecommunications System）地上無線接続（ＵＴＲＡ）に適用することができる強化法を調査するものである。
【０００３】
この研究は，一般的に言えばアップリンク性能を向上させるため，すなわちバックグラウンド，対話型及びストリーミングベースのトラヒックのアップリンク性能を向上させるためのＵＴＲＡ  ＦＤＤ（周波数分割デュプレクス）の強化アップリンクに関連する次に掲げる話題を含む。
・適応型変調及び符号化体系
・ハイブリッドＡＲＱ（自動再送信要求）プロトコル
・Ｎｏｄｅ  Ｂ制御スケジューリング
・強化を提供する物理層又は高位層信号通知メカニズム
・高速ＤＣＨ設定
・短縮されたフレームサイズ及び改善されたＱｏＳ（サービス品質）
【０００４】
このＵＬ  Ｅ−ＤＣＨ（以下，単にＥ−ＤＣＨと呼ぶ）は，ダウンリンク（ＤＬ）における類似の強化のためのものであるＨＳＤＰＡ（高速ダウンリンクパケット接続）と対比することができる。
【発明の開示】
【発明が解決しようとする課題】
【０００５】
本発明の開示において，ＲＮＣとＮｏｄｅ  Ｂとの間，及びＲＮＣ相互間のインタフェース（Ｉｕｂ／Ｉｕｒ）を介した信号がパラメータも含めて，Ｅ−ＤＣＨ上の無線インタフェースの強化を提供することが示される。
【０００６】
現在のところ３ＧＰＰ仕様書又は技術報告には，Ｅ−ＤＣＨを提供するためにどのようなパラメータをＩｕｂ／Ｉｕｒアプリケーションプロトコルのどのメッセージに加えればよいかは記載されていない。本発明は，ネットワーク内のＩｕｂ／Ｉｕｒ上でＥ−ＤＣＨ機能を設定し，提供するために用いることが望ましい基本の情報要素（ＩＥ）を定義している。
【０００７】
このように本発明の目的は，Ｅ−ＤＣＨを設定し再構成することができるようにするために，ＲＮＣとＮｏｄｅ  Ｂとの間のＩｕｂ／Ｉｕｒインタフェースのための一般的な信号通知方法を提供することにある。もう一つの目的は，まだ定義されていないプロトコルにおける特定のメッセージに限定することなく，後に任意の選択されたメッセージにも適用可能であるように，最大の柔軟性を持たせてその信号通知方法を提供することである。
【課題を解決するための手段】
【０００８】
本発明の第１の態様によれば，ユーザ装置からネットワーク要素への無線アップリンクを構成設定するための方法であって，前記無線アップリンクに前記の構成設定をするために，前記ネットワーク要素と無線ネットワークコントローラとの間のインタフェース上の１以上のメッセージによってセル特定パラメータ，無線リンク特定パラメータ又はその双方を有する情報要素を送信するステップと，前記ネットワーク要素と前記ユーザ装置との間の信号通知の後，前記ネットワーク要素において前記無線アップリンクを構成設定するステップと，ペイロードパケットを前記無線ネットワークコントローラへ送信するために前記ネットワーク要素において前記アップリンクを構成設定した後に，前記ユーザ装置から前記ネットワーク要素へ前記無線アップリンクを介して前記ペイロードパケットを送信するステップとを有する。
【０００９】
本発明の第１の態様に更によれば前記方法は，前記ネットワーク要素から前記ユーザ装置への無線ダウンリンク上の前記ネットワーク要素において前記ペイロードパケットが正しく受信されたことを肯定応答するステップと，前記ユーザ装置からの前記の正しい受信に続いて，前記ネットワーク要素から前記無線ネットワークコントローラへ前記ペイロードパケットを送信するステップとを更に有する。
【００１０】
本発明の第１の態様に更によれば前記方法は，他のネットワーク要素と前記ユーザ装置との間のアップリンクを構成設定するために，前記無線ネットワークコントローラと他の無線ネットワークコントローラとの間のインタフェース上で，前記情報要素を前記の他のネットワーク要素へ中継するために送信するステップを更に有する。
【００１１】
本発明の第２の態様によれば，移動体通信システムが，ユーザ装置からネットワーク要素への無線アップリンクを構成設定するための信号インタフェースによって接続された前記ネットワーク要素及び無線ネットワークコントローラを備え，パラメータを含む情報要素を有するメッセージを搬送するための前記インタフェースは，セル特定パラメータ，無線リンク特定パラメータ又はその双方を有する情報要素が，前記ネットワーク要素と前記ユーザ装置との間の信号通知の後，前記ネットワーク要素において前記無線アップリンクに前記の構成設定をするために，前記ネットワーク要素と前記無線ネットワークコントローラとの間の前記インタフェース上で１以上のメッセージによって搬送され，かつ，ペイロードパケットが，該ペイロードパケットを前記無線ネットワークコントローラへ送信するために前記ネットワーク要素において前記アップリンクを構成設定した後に，前記ユーザ装置から前記ネットワーク要素へ前記無線アップリンクを介して送信されることを特徴とする。
【００１２】
本発明の第２の態様に更によれば前記システムは，前記ペイロードパケットの受信が，前記ネットワーク要素から前記ユーザ装置への無線ダウンリンク上の前記ネットワーク要素によって肯定応答され，かつ，前記ペイロードパケットが前記ユーザ装置からの受信に引き続いて，前記ネットワーク要素から前記無線ネットワークコントローラへ送信されることを更に特徴とする。
【００１３】
本発明の第２の態様に更によれば前記システムは，前記情報要素が，前記無線ネットワークコントローラと他の無線ネットワークコントローラとの間のインタフェースを介して，他のネットワーク要素へ中継するために送信されることを更に特徴とする。
【００１４】
本発明の第３の態様によれば，計算機可読媒体内の少なくとも一時記憶のためのデータ構造が提供され，該データ構造は，ユーザ装置からネットワーク要素への無線アップリンクを構成設定するために，ネットワーク要素と無線ネットワークコントローラとの間のインタフェース上で１以上のメッセージによって転送される，セル特定パラメータ，無線リンク特定パラメータ又はその双方を有する情報要素を含み，ここで前記の構成設定は，前記無線アップリンクを介して前記ユーザ装置から前記ネットワーク要素へ，そしてそこから前記無線ネットワークコントローラへペイロードパケットを送信できるようにするために，前記ネットワーク要素において実行される。
【００１５】
本発明の第３の態様に更によれば前記データ構造は，前記ユーザ装置から前記ネットワーク要素への前記ペイロードの送信に引き続いて，前記ネットワーク要素から前記ユーザ装置への無線ダウンリンク上の前記ネットワーク要素による前記ペイロードパケットが正しく受信されたことの肯定応答と，前記ネットワーク要素から前記無線ネットワークコントローラへの前記ペイロードパケットの送信とが行われることを特徴とする。
【００１６】
本発明の第４の態様によれば，ユーザ装置からネットワーク要素への無線アップリンクを構成設定するための無線ネットワークコントローラが，前記無線アップリンクに前記の構成設定をするために，前記ネットワーク要素と前記無線ネットワークコントローラとの間の第１のインタフェース上の１以上のメッセージによって，セル特定パラメータ，無線リンク特定パラメータ又はその双方を有する情報要素を伝送するための前記第１のインタフェースと，前記無線ネットワークコントローラと，第２のネットワーク要素に接続されている第２の無線ネットワークコントローラとの間の第２のインタフェース上の前記の１以上のメッセージによって，セル特定パラメータ，無線リンク特定パラメータ又はその双方を有する情報要素を伝送するための前記第２のインタフェースとを備え，そこで１以上のメッセージ内のセル特定情報，無線リンク特定情報又はその双方を有する情報要素は，前記第２のネットワーク要素と前記ユーザ装置との間の第２の無線アップリンクと，前記第１のインタフェースを介して前記ネットワーク要素からペイロードパケットを受信するための第１の無線ネットワークコントローラと，前記ペイロードパケットが前記第２の無線アップリンクを介して前記ユーザ装置から前記第２のネットワーク要素によって受信された後に，前記第２のネットワーク要素から前記ペイロードパケットを受信するための前記第２の無線ネットワークコントローラと，前記ペイロードパケットを前記第２の無線ネットワークコントローラから前記第１の無線ネットワークコントローラへ転送するために，前記ペイロードパケットが前記ユーザ装置から前記第２のネットワーク要素によって受信された後に，前記第２のネットワーク要素から前記無線ネットワークコントローラへ前記の受信したペイロードパケットを送信するための前記第２のネットワーク要素とを構成設定するためのものである。
【００１７】
本発明の第５の態様によれば，ユーザ装置から前記ネットワーク要素への無線アップリンク上のアップリンクチャネルを受信するためのネットワーク要素が，前記無線アップリンク上の前記アップリンクチャネルを構成設定するために，前記ネットワーク要素と無線ネットワークコントローラとの間の１以上のメッセージによって，セル特定パラメータ，無線リンク特定パラメータ又はその双方を有する情報要素を伝送するための非無線インタフェースと，前記ネットワーク要素と前記ユーザ装置との間の前記アップリンクチャネルのための前記構成設定に関連する信号を伝送するための無線インタフェースと，前記無線リンク上の前記アップリンクチャネルの前記構成設定が，前記ネットワーク要素によって実行された後，前記無線アップリンクを介して前記ユーザ装置から前記ネットワーク要素へペイロードパケットを受信するための無線インタフェースとを備え，ここで前記非無線インタフェースは，前記ペイロードパケットが前記ユーザ装置から前記ネットワーク要素によって受信された後に，前記ネットワーク要素から前記無線ネットワークコントローラへ前記ペイロードパケットを搬送するためのものである。
【００１８】
本発明の第６の態様によれば，ユーザ装置からネットワーク要素への強化アップリンク上でパケットを伝送するためのユーザ装置であって，該ユーザ装置と前記ネットワーク要素との間の無線インタフェースを介して信号を送信及び受信するためのアンテナに共に接続された送信機及び受信機を備える前記ユーザ装置は，該ユーザ装置がまた，ユーザ装置からネットワーク要素への無線アップリンクを構成設定するための前記ネットワーク要素と前記ユーザ装置との間の信号を処理するための制御部を含み，ここで情報要素は，前記無線アップリンクに前記構成設定をするために，前記ネットワーク要素と無線ネットワークコントローラとの間のインタフェース上の１以上のメッセージによって，セル特定パラメータ，無線リンク特定パラメータ又はその双方を有して送信され，ここで前記無線アップリンクは，前記ネットワーク要素と前記ユーザ装置との間の信号通知の後に，前記ネットワーク要素，前記ユーザ装置又はその双方において構成設定され，そしてここでペイロードパケットは，前記無線アップリンクが構成設定された後，前記無線アップリンクを介して前記ユーザ装置から前記ネットワーク要素へ送信され，次に前記ネットワーク要素から前記無線ネットワークコントローラへ送信されることを特徴とする。
【００１９】
本発明の第７の態様によれば，計算機可読媒体内の少なくとも一時記憶のためのデータ構造であって，該データ構造は，前記ユーザ装置から前記ネットワーク要素への無線アップリンクを構成設定するために，ネットワーク要素とユーザ装置との間のインタフェース上で１以上のメッセージによって転送される，セル特定パラメータ，無線リンク特定パラメータ又はその双方を有する情報要素によって特徴付けられ，ここで前記の構成設定は，前記無線アップリンクを介して前記ユーザ装置から前記ネットワーク要素へ，そしてそこから前記無線ネットワークコントローラへペイロードパケットを送信できるようにするために，前記ネットワーク要素，前記ユーザ装置又はその双方において実行される。
【００２０】
本発明の第７の態様に更によれば前記データ構造は，前記ユーザ装置から前記ネットワーク要素への前記ペイロードパケットの送信に引き続いて，前記ネットワーク要素から前記ユーザ装置への無線ダウンリンク上の前記ネットワーク要素によって前記ペイロードパケットが正しく受信されたことの肯定応答と，前記ネットワーク要素から前記無線ネットワークコントローラへの前記ペイロードパケットの送信とが行われることを特徴とする。
【００２１】
本発明のこれら及び他の目的，特徴並びに利点は，以降に述べられる最良の実施形態の詳細な説明を考慮すれば，付属の図面において示されるとおり明確になるであろう。
【発明を実施するための最良の形態】
【００２２】
Ｅ−ＤＣＨは，専用トランスポートチャネルのためのアップリンク強化を可能にするために現在３ＧＰＰ標準化委員会に提案されている。ＵＴＲＡ  ＦＤＤのための強化アップリンクに関連して，アップリンク性能は改善されたハイブリッドＡＲＱプロトコル及びＮｏｄｅ  Ｂ制御スケジューリングによって向上させることができる。物理層及び高位層の信号通知機構もまた，その強化を提供するために提供される。Ｅ−ＤＣＨは，ダウンリンクにおける類似の強化のためのものであるＨＳＤＰＡと対比することができる。
【００２３】
図２は，アップリンク無線インタフェースを介してユーザ装置（ＵＥ）から基地局（Ｎｏｄｅ  Ｂ）へ送信され，またそこからＮｏｄｅ  Ｂに無線リンク以外の方法で接続されている無線ネットワークコントローラ（ＲＮＣ）へ送信されるペイロードパケットを示している。ＲＮＣは無線リンク制御（ＲＬＣ）肯定応答で応答し，それがペイロードパケットの受信が成功であった（ＡＣＫ）か，失敗であった（ＮＡＣＫ）かを指示する。”ペイロード”という用語は，設定，スケジューリング又は再送信制御信号のような構成情報とは異なる情報，すなわちＵＥのユーザが設定又は再構成の後にアプリケーション内で用いる，ＷＥＢページ，ビデオ，テキスト，などの情報を意味する。このように，ペイロード情報の交換に先だって，別個の構成設定，スケジューリング又は再送信制御信号通知手続が行われる。第３世代信号通知手続の例は，３ＧＰＰ  ＴＲ  ２５．９３１  ｖ５．１．０（２００２年６月）に詳細に示されている。
【００２４】
図３は，Ｅ−ＤＣＨ概念に基づく提案を示す。この改善の一つの観点は，肯定応答機能をＲＮＣからＮｏｄｅ  Ｂへ移すことによってアップリンクを強化する点にある。肯定応答機能は，通常ＲＮＣにおいて制御される既知の再送信制御機能であり，ここで説明は要しないであろう。ここで重要なことは，この機能を実行するために選択されたネットワークエンティティである。Ｅ−ＤＣＨ概念では，この重要な機能の制御をよりＵＥに近いＮｏｄｅ  Ｂに担わせることによって遅延を減少させる。Ｅ−ＤＣＨの提案は，ＲＮＣとＮｏｄｅ  Ｂとの間，Ｎｏｄｅ  ＢとＵＥとの間及びＲＮＣ相互間で，上述の別個の信号通知手続によって交換すべきＩＥ及びパラメータをまだ説明していない。
【００２５】
Ｅ−ＤＣＨ概念の他の観点は，アップリンクスケジューリング／ローディングのための”高速”Ｎｏｄｅ  Ｂ構成制御である。換言すれば，ＲＮＣの代わりにＮｏｄｅ  Ｂがスケジューリング及び／又は輻輳の構成制御に当たる。これもまた遅延を減少させる。ＲＮＣは，Ｅ−ＤＣＨに関連するＵＥの能力，セル特定パラメータ及びＵＥ特定パラメータについての情報をＮｏｄｅ  Ｂへ送信する。通知される構成能力は，例えば，ＨＡＲＱ（ハイブリッドＡＲＱ）プロセスの数，提供される変調方式，最大データレート，などを含む。セル特定パラメータは，Ｅ−ＤＣＨのための共有制御チャネル設定，ハードウェア及び電力リソース割当てなどを含む。ＵＥ特定パラメータは，Ｎｏｄｅ  ＢがＵＥに割り当てることをＲＮＣが許可する最大データレート，そのＵＥに対する信号のために用いることができる電力オフセット及び信号再送信ファクタ，及びそのＵＥが用いることができる電力オフセット及び信号再送信ファクタ，などを含む。一般に，ＵＥはＮｏｄｅ  Ｂのスケジューラを補助するためにＮｏｄｅ  Ｂへ信号を送信することができ，Ｎｏｄｅ  Ｂは，ＵＥにそのデータレート又はその上限を知らせる信号を返送することができる。このようにして，ＵＥはＮｏｄｅ  ＢへＮｏｄｅ  Ｂのスケジューラを補助する情報を通知することができるかも知れないし，できないかも知れない。例として，ＵＥはＮｏｄｅ  Ｂにデータレートを要求することかも知れないし，それがどれだけのデータを有しているか，またどれだけの送信電力を用いることができるかについての情報を送信するだけかも知れない。Ｎｏｄｅ  ＢはＵＥにスケジューリングコマンドを通知することができるかも知れないし，できないかも知れない。例えば，Ｎｏｄｅ  ＢはＵＥに（最大の）データレートを通知することができる。この最大データレートはそれで，Ｎｏｄｅ  Ｂが新規の通知をするまでか，特定の期間中か，又は，例えばデータレートの利用法に関連するある特定の規則に従って変化するまで有効かも知れない。
【００２６】
図１は，本発明に従ってＵＥ１６０のためにＥ−ＤＣＨを構成するための設定手続及びここでは”ＳＲＮＣ”（サービス提供ＲＮＣ）１３０として示されているＲＮＣと，いわゆる”Ｎｏｄｅ  Ｂ”１３２との間で交換される構成設定メッセージのような別個の構成信号通知手続におけるＩＥ及びパラメータの交換を示す。Ｎｏｄｅ  Ｂ１３２は，第３世代基地局である。ＳＲＮＣ１３０とＮｏｄｅ  Ｂ１３２との間は，いわゆるＩｕｂインタフェース（非無線）である。本発明によれば，Ｅ−ＤＣＨのための構成設定メッセージは，例えば信号線１３３上でＳＲＮＣ１３０からＮｏｄｅ  Ｂ１３２へ，及び信号線１３４上で反対方向にＮｏｄｅ  Ｂ１３２からＳＲＮＣ１３０へ，Ｉｕｂインタフェースを介して交換されるように定義される。
【００２７】
当業においては既知のとおり，ＵＥが他のＲＮＣ１００に接続されている他のＮｏｄｅ  Ｂ１１０の範囲内に移動すると，Ｉｕｂインタフェース回線１３３，１３４を介して交換されたものと類似の信号の伝送を，ＳＲＮＣ１３０と，他のＮｏｄｅ  Ｂ１１０と接続されている”ＤＲＮＣ”（ドリフトＲＮＣ）と呼ばれる他のＲＮＣ１００との間のいわゆるＩｕｒインタフェースを介して行う必要がある。ＳＲＮＣ１３０とＤＲＮＣ１００との間で，構成設定メッセージはＳＲＮＣ１３０からＤＲＮＣ１００への回線１５０上で伝送され，反対方向の構成設定メッセージ信号はＤＲＮＣ１００からＳＲＮＣ１３０への回線１４０上で伝送される。これらのメッセージは非無線インタフェースであるいわゆるＩｕｒインタフェースを介して提供される。メッセージは，ＤＲＮＣ１００から他のＮｏｄｅ  Ｂ１１０への回線１２０上を伝送され，反対方向のメッセージはＮｏｄｅ  Ｂ１１０からＤＲＮＣ１００への回線１２２上を伝送される。これらのメッセージもまた，これもまた非無線インタフェースである他のＩｕｂインタフェースを介して提供される。指定の状況に対して，本発明のＩＥ及びパラメータは，これらＩｕｒ及びＩｕｂインタフェースのうち一つ又はすべてを介して搬送することができる。ここに示した例は，３ＧＰＰ  ＴＳ２５．９３１を参照することによって明確にできるので徹底的なものではないことを理解されたい。他のＮｏｄｅ  Ｂ１１０は，無線ダウンリンク１７０及び無線アップリンク１８０を介してＵＥ１６０と通信していることが示されている。類似して，Ｎｏｄｅ  Ｂ１３２は，無線ダウンリンク１３５及び無線アップリンク１３６を介してＵＥ１６０と通信していることが示されている。
【００２８】
背景情報ではあるが，したがって第３世代システムにおいては，ＲＮＣ１３０は特定のＵＥに関して，いわゆるＩｕｒインタフェースを介してＤＲＮＣ又はＳＲＮＣである他のＲＮＣ１００と通信しているものと理解される。図１のＳＲＮＣ１３０は，ＵＥ１６０のために”サービスを提供する”ＲＮＣである。ＳＲＮＣ１３０は他のセル内の他のＮｏｄｅ  Ｂ（図示されていない）とも接続されている。現在ＵＥ１６０はＳＲＮＣ１３０に接続されているＮｏｄｅ  Ｂのうち１つのセル内にあり，ＵＥ１６０は他のＮｏｄｅ  Ｂの近傍にあるのでＮｏｄｅ  Ｂ１１０と同様にそのＮｏｄｅ  Ｂとも無線通信を行う。現在ＵＥ１６０は，ＳＲＮＣ１３０がサービスを提供している。しかし，ＵＥ１６０がＲＮＣ１００（”ドリフト”ＲＮＣと呼ばれる）と接続されているＮｏｄｅ  Ｂ１１０のセルに向かって移動すると，そのセルにハンドオーバされる。するとＵＥはＲＮＣ１００からもサービスを提供され，それでＲＮＣ１００がＵＥのためのＳＲＮＣとなるか，又はＲＮＣ１３０が”依然としてＵＥにサービスを提供し続け，すなわちＳＲＮＣとして機能し，ＲＮＣ１００が依然として”ドリフト”ＲＮＣとして留まる。第３世代システムにおいては，Ｉｕｒインタフェースを確立することによってＵＥが同時に複数のＮｏｄｅ  Ｂと通信することができるようにして，第２世代システムにおける”ハードハンドオーバ”の状況を改善している。それによって再同期を必要としない”ソフトハンドオーバ”を可能にし，第２世代システムとは異なり，ユーザにハンドオーバが知覚されないようにしている。しかしながら，本発明の目的に対しては，ソフトハンドオーバプロセスの詳細は二次的である。ここで重要なことは，Ｉｕｒ／Ｉｕｂインタフェースを介して送信されるメッセージ内に含まれるＩＥによって送信される，以下に開示するパラメータの性質である。
【００２９】
したがって，Ｎｏｄｅ  Ｂ１１０からの回線１２２上のメッセージ信号は，回線１４０上をＳＲＮＣ１３０へ転送される。同様に，ＲＮＣ１００からの回線１２０上のメッセージ信号は，ＳＲＮＣ１３０からＲＮＣ１００への回線１５０上の信号として始まり，そこから回線１２０上をＮｏｄｅ  Ｂ１１０へ転送される。
【００３０】
図４は，本発明を実施するために必要な要素を示すのに十分詳細なレベルで，図１又は図３のＵＥを示している。ＵＥ１６０は，Ｎｏｄｅ  Ｂ１１０からのダウンリンク１７０及びＮｏｄｅ  Ｂ１３２からのダウンリンク１３８に反応する受信機１９０を含む。ＵＥ１６０はまた，ＵＥ１６０からＮｏｄｅ  Ｂ１１０へのアップリンク１８０及びＵＥ１６０からＮｏｄｅ  Ｂ１３２へのアップリンク１３６を提供する送信機１９２も含む。再送信制御部１９４は，送信機１９２への回線１９６上に信号を提供し，また受信機１９０からの回線１９８上の信号を受信する。図３及び図４双方を参照すると，受信機１９０はダウンリンク１３８，１７０のいずれか又は双方を介して肯定応答信号／否定応答信号を受信し，次に回線１９８を介して受信した信号を再送信制御部１９４へ提供する。次に再送信制御部は受信した肯定応答信号又は否定応答信号を評価し，再送信が必要かどうかを判定する。再送信が必要なときは，再送信制御部は，再送信信号が信号線１９６上を送信機１９２へ送られ，次に送信機がアップリンク１３６，１８０のどちらか又は双方を介して再送信信号を送信するように取り計らう。再送信制御部１９４は，送信制御部又は送信／再送信制御部と見ることもできる。換言すれば，パケットは再送信制御部１９４によって送信され，再送信され又はその双方がされる。
【００３１】
ここで開示される大部分の構成設定パラメータは，ある意味でＮｏｄｅ  ＢがどうやってＵＥのデータレートを制御するかにより深く関係するが，ＵＥが自身のデータレートを制御したり，制御の役割を果たしたりすることも全く可能であることに気付くべきである。再送信制御部１９４は，ダウンリンクによって受信した制御情報に基づいて，送信／再送信だけでなく送信信号のデータレート調整及び送信信号のタイミング調整を行うことも可能である。
【００３２】
本発明は，既存又は新規のどのメッセージ信号をＩＥ及びパラメータを伝送するために用いるかについて，必ずしも正確に規定することなく一般的な表現でさまざまなＩＥ及びパラメータを開示する。開示されるＩＥ及びパラメータを搬送するために用いることができる既存のメッセージはもちろん多数存在し，そのうちいくつかはこの後候補として言及されるが，他のメッセージも同様に用いることができ，そのうちいくつかはまだ定義されていないかもしれないことが予見される。より重要な，まだなされていない決定の一つに，どのネットワークエンティティ，ノード又は要素がパラメータの値を決定するかがある。
【００３３】
本発明に従う無線ネットワーク制御部は，以下更に詳細に説明する，Ｉｕｂインタフェース回線１３３，１３４，又はＩｕｒインタフェース回線１４０，１５０又はその双方を介して交換されるＩＥ及びパラメータを含むＥ−ＤＣＨ構成設定信号インタフェースを有する。本発明に従うＮｏｄｅ  Ｂは，以下更に詳細に説明する，Ｉｕｂインタフェース回線１３３，１３４，又は１２０，１２２を介して交換されるＩＥ及びパラメータを含むＥ−ＤＣＨ構成設定信号インタフェースを有する。本発明に従うシステムは，１以上のＲＮＣ及び少なくとも１つのＮｏｄｅ  Ｂを備え，そのそれぞれは上述のとおりの，以下詳細に説明されるＩＥ及びパラメータを含むＥ−ＤＣＨ構成設定信号インタフェースを有する。
【００３４】
どのネットワークノードがパラメータの値を決定するかに応じて，次の各ケースが考えられる。
【００３５】
１）ＲＮＣが値を決定してＮｏｄｅ  Ｂに通知する。Ｎｏｄｅ  Ｂはその決定に従う。以前はＲＮＣの責任であった機能を今ではＮｏｄｅ  Ｂが引き受けることができるとはいっても，Ｎｏｄｅ  Ｂが完全に独立に動作するわけではない。ＲＮＣはＮｏｄｅ  Ｂに１組のパラメータを提供し，それに従ってＮｏｄｅ  Ｂはこれらの機能を実行する。ＲＮＣをマネージャと考え，Ｎｏｄｅ  Ｂをガイドラインに従って働く労働者と見ることができる。そして，ＵＥについて，ＲＮＣはＮｏｄｅ  Ｂが働くように指令する。しかし，マネージャは常に正しく全体の管理を行なっている。
【００３６】
２）ＲＮＣが境界を与え，その範囲内でＮｏｄｅ  Ｂが選択する。Ｎｏｄｅ  Ｂは与えられた境界内で，現在の状況に従って値を決定することができる。ＲＮＣは最大データレート能力のようなＵＥの能力をＮｏｄｅ  Ｂに通知することができるが，同様にＮｏｄｅ  ＢのリソースをどのようにＥ−ＤＣＨに割り当てるか，ＵＥのために用いることができる再送信ファクタ，電力オフセットなどはいくつか，ＵＥのために現在ＲＮＣが許可している最大データレートはいくつか，などのようなパラメータについても通知すべきである。
【００３７】
３）Ｎｏｄｅ  ＢがＲＮＣに値を提案し，ＲＮＣが値を確認するか決定する。（この場合，ＲＮＣはＮｏｄｅ  Ｂの提案を受諾しない自由を有する。）
【００３８】
４）Ｎｏｄｅ  Ｂが動的に値を決定し，ＲＮＣはそれを知る必要がない。
【００３９】
５）他の方法も確かに同様に考慮することができ，これらは例に過ぎない。
【００４０】
ＵＥとネットワークとの双方が，あるパラメータについて同じ値を持つ必要があるかどうかについても考慮すべきである。この場合，ＳＲＮＣはパラメータの値をＲＲＣ（無線リソース制御）メッセージを介してＵＥへ通知するためにパラメータの値を知る必要がある。ケース１）及びケース３）をこの場合のために用いることができる。
【００４１】
ケース２）はセル特定パラメータのための典型的な手続である。これは，ＲＮＣがＥ−ＤＣＨリソースプールを構成し，Ｎｏｄｅ  Ｂが無線インタフェースの状態に従って正確な値を決定する。
【００４２】
ケース３）は，Ｎｏｄｅ  Ｂがリソースの状況，無線インタフェースの状態，他のＥ−ＤＣＨパラメータ利用法を知っている場合に有効であるが，ＳＲＮＣは全体のリソース状態を管理する必要がある。
【００４３】
Ｅ−ＤＣＨの第１層概念は依然として３ＧＰＰにおいて議論中であり，ＵＴＲＡＮ信号方式は議論されていないので，本発明はすべての可能性を網羅する。本発明において提案されているパラメータは，上に掲げた手続のどれにおいても，他のネットワークノード（Ｎｏｄｅ  Ｂ又はＲＮＣ）へ配信することができ，与えられた手続を実行するために用いられるメッセージは既存のＩｕｂ／Ｉｕｒアプリケーションプロトコルに既に存在する（すなわち，既存の手続を再利用する）か，又は新規の手続を実行する（すなわち，Ｅ−ＤＣＨパラメータ配信のために新規の手続及びメッセージを定義する）。
【００４４】
本発明によれば，Ｅ−ＤＣＨのためのセル特定パラメータ，無線リンク特定パラメータ又はその双方を定義するＩｕｂインタフェース，Ｉｕｒインタフェース又はその双方におけるパラメータが提供される。それらは次に掲げるパラメータを含むことができるが，それに限定されるものではない。（１）Ｐｒｘ＿ｎｒｔ＿ＮｏｄｅＢ，（２）Ｐｒｘ＿Ｔａｒｇｅｔ，（３）Ｎｏｄｅ  Ｂ  ＴＦＣＩしきい値，（４）ＵＥ  ＴＦＣＩしきい値，（５）ＡＣＫ／ＮＡＣＫ電力オフセット（ＰＯ），（６）ＡＣＫ／ＮＡＣＫ再送信ファクタ，（７）レート許可電力オフセット（ＰＯ），（８）レート許可再送信ファクタ，（９）ＵＥしきい値Ｄｔｘ，（１０）ＵＥしきい値Ｄｔｘ遅延，（１１）ＵＥ能力情報，（１２）ＨＡＲＱメモリ区画，（１３）Ｎｏｄｅ  Ｂスケジューリングのためのガイドライン情報，（１４）ＱｏＳ，（１５）ＵＥ  Ｐｔｘ電力による遅延，及び（１６）Ｎｏｄｅ  Ｂ制御下のＴｒＣＨ。これらパラメータそれぞれの性質については，以下より詳細に説明する。
【００４５】
セル内でＥ−ＤＣＨを提供するために，セル内のＥ−ＤＣＨリソースを構成設定する新規の準静的ＩＥ（セル関連パラメータ）を，セル設定／セル再構成手続，共通トランスポートチャネル設定／共通トランスポートチャネル再構成手続，物理共通チャネル再構成手続，又は新たな手続に追加することができる。
【００４６】
Ｐｒｘ＿ｎｒｔ＿ＮｏｄｅＢ
Ｐｒｘ＿Ｔａｒｇｅｔ
これらのパラメータはＮｏｄｅ  Ｂのスケジューリング自由度を制限するため，ＣＲＮＣ（制御無線ネットワークコントローラ）によってＮｏｄｅ  Ｂに与えられる。各パラメータの意味は次のとおり。
【００４７】
Ｅ−ＤＣＨチャネルを設定，再構成するための無線リンク（ＲＬ）関連ＩＥを以下に掲げる。ＳＲＮＣからＮｏｄｅ  Ｂ１３２への回線１３０上を搬送されるパラメータは，無線リンク設定要求メッセージ，無線リンク再構成準備メッセージ，無線リンク再構成要求メッセージ，又はまだ定義されていないメッセージに追加することができる。
【００４８】
Ｎｏｄｅ  Ｂ１３２からＳＲＮＣ１３０への回線１３４上を搬送されるパラメータは，無線リンク設定応答メッセージ，無線リンク再構成完了メッセージ，無線リンク再構成応答メッセージに追加されるか，若しくはまだ定義又は標準化されていない新規のメッセージにおいて搬送される。ケース３）のように，Ｎｏｄｅ  Ｂ１３２がパラメータの値を提案しなければならないときは，無線リンクパラメータ更新指示メッセージを再利用するか，又はＳＲＮＣ１３０への回線１３４上を配信される新規のメッセージを定義することができる。ＳＲＮＣ１３０は，Ｎｏｄｅ  Ｂ１３２からの提案を受信した後，同期／非同期無線リンク再構成手続を再利用するか，又は新規の手続を定義することができる。設定及び再構成のための同一のパラメータは，ＳＲＮＣ１３０と他のＮｏｄｅ  Ｂ１１０との間で，ＤＲＮＣ１００を介し，ＳＲＮＣ１３０とＤＲＮＣ１００との間のＩｕｒインタフェース１４０，１５０及びＤＲＮＣ１００と他のＮｏｄｅ  Ｂ１１０との間のＩｕｂインタフェース１２０，１２２を用いて交換することができる。
【００４９】
Ｅ−ＤＣＨ情報
ペイロードＣＲＣ存在指示子
ＵＬ  ＦＰモード
ＴｏＡＷＳ
ＴｏＡＷＥ
ＤＣＨ  ＩＤ
ＵＬトランスポート形式セット
ＤＬトランスポート形式セット
割当て／保持優先度
フレーム処理優先度
ＱＥセレクタ
１方向ＤＣＨ指示子
Ｎｏｄｅ  Ｂ  ＴＦＣＩしきい値
ＵＥ  ＴＦＣＩしきい値
ＡＣＫ  ＰＯ
ＮＡＣＫ  ＰＯ
ＡＣＫ再送信ファクタ
ＮＡＣＫ再送信ファクタ
レート許可ＰＯ
レート許可再送信ファクタ
レート要求ＰＯ
レート要求再送信ファクタ
Ｎｏｄｅ  Ｂスケジューリングのためのガイドライン情報
ＱｏＳパラメータ（トラヒック処理優先度，ＧＢＲ，廃棄タイマ，など）
ＵＥしきい値Ｄｔｘ
ＵＥしきい値Ｄｔｘ遅延
ＵＥ  Ｐｔｘ電力による遅延
Ｎｏｄｅ  Ｂ制御下のＴｒＣＨ
ＵＥ能力情報
ＨＡＲＱ能力
ＮｕｍＯｆＣｈａｎｎｅｌ
ＭａｘＡｔｔｅｍｐｔ
ＲｅｄｕｎｄａｎｃｙＶｅｒ
【００５０】
Ｅ−ＤＣＨ情報応答
ＤＣＨ  ＩＤ
結合ＩＤ
トランスポート層アドレス
【００５１】
ＨＡＲＱメモリ区画
修正すべきＥ−ＤＣＨ情報：Ｅ−ＤＣＨ情報に同じ
【００５２】
ＤＣＨ  ＦＤＤ情報ＩＥグループ及びＤＣＨ情報応答ＩＥグループに定義されている各ＩＥの意味は，３ＧＰＰ仕様に定義されているとおりである。追加のＩＥについては，以下更に説明する。更に，ＩＥ構造は一例を示すに過ぎない。したがって，本発明の主たる思想と相反することなく変更することができる。
【００５３】
［セル特定パラメータ］
これらのＩＥはCELL SETUP REQUESTメッセージ及び／又はCELL RECONFIGURATION REQUESTメッセージ，若しくは共通トランスポートチャネル設定メッセージ及び／又は共通トランスポート再構成要求メッセージ，若しくは物理共有チャネル再構成要求メッセージ，若しくはＣＲＮＣからＮｏｄｅ  Ｂへの新規のメッセージに含むことができる。
【００５４】
【表１】
2007529938.tif 000003
【００５５】
［Ｐｒｘ＿ｎｒｔ＿ＮｏｄｅＢ］
”Ｐｒｘ＿ｎｒｔ＿ＮｏｄｅＢ”ＩＥは，Ｅ−ＤＣＨユーザに与えられる合計許容干渉を定義する。Ｎｏｄｅ  Ｂスケジューラは，ＵＥにビットレートを許可するときにこれを考慮に入れなければならない。スケジューラは，この値を超えるＥ−ＤＣＨユーザの合計雑音レベル上昇を許してはならない。原理的には，これはＥ−ＤＣＨユーザに予約された負荷の一部である。
【００５６】
【表２】
2007529938.tif 000004
【００５７】
スループットに基づくＲＲＭ（無線リソース管理）が用いられる場合は，Ｐｒｘ＿ｎｒｔ＿ＮｏｄｅＢ以外のあるパラメータを許容ビットレートのように用いることができる。どのＲＲＭアルゴリズムを用いるかは後で決定するのが望ましい。Ｐｒｘ＿ｎｒｔ＿ＮｏｄｅＢに加えてＮｏｄｅ  Ｂは，それがＵＥに割り当てるデータレートと，Ｐｒｘ＿ｎｒｔ＿ＮｏｄｅＢの消費との間のつながりに関する知識も必要とする。Ｎｏｄｅ  Ｂがどのようにしてこの情報を取得するかについては，後で決定する必要がある。
【００５８】
［Ｐｒｘ＿Ｔａｒｇｅｔ］
”Ｐｒｘ＿Ｔａｒｇｅｔ”ＩＥは，Ｎｏｄｅ  Ｂスケジューリングを補助するためにセルの総アップリンク負荷の目標を定義する。このようにしてＮｏｄｅ  Ｂは，たとえセル内にそれほど多くのＥ−ＤＣＨユーザがいないときでも，セル内の能力を最適化することができる。
【００５９】
【表３】
2007529938.tif 000005
【００６０】
［無線リンク特定パラメータ］
以下に無線リンク特定パラメータを説明する。ＳＲＮＣからＮｏｄｅ  Ｂへ渡すパラメータは，無線リンク設定要求メッセージ，無線リンク再構成準備メッセージ又は無線リンク再構成要求メッセージに含むことができる。これ以外にＥ−ＤＣＨパラメータ配信のために新規のメッセージを定義することもできる。Ｎｏｄｅ  ＢからＳＲＮＣへ渡すパラメータは，無線リンク設定応答メッセージ，無線リンク再構成完了メッセージ又は無線リンク再構成応答メッセージに追加することができる。これ以外に，この目的のために新規なメッセージを定義することもできる。ネットワークとＵＥとの双方において同じ値を持たなければならないパラメータは，同じ値（例えば電力オフセット，再送信ファクタなど）を持たなければならず，またＮｏｄｅ  Ｂがパラメータを変更する意思をＳＲＮＣへ示すことができるように，無線リンクパラメータ更新指示メッセージ又は新規のメッセージに，どのＮｏｄｅ  ＢがＳＲＮＣより良いアイデアを有するかについての情報を含めることができる。
【００６１】
Ｅ−ＤＣＨユーザは基本的にＤＣＨユーザでもあるので，基本パラメータ（すなわち，Ｅ−ＤＣＨ特定ではない）は早期のリリースにおいて既に定義されている（例えばＴＦＣＩ）。したがってこの項では，新規のＥ−ＤＣＨパラメータについてだけ説明する。
【００６２】
［Ｎｏｄｅ  Ｂ  ＴＦＣＩしきい値（ＳＲＮＣ→Ｎｏｄｅ  Ｂ）］
”Ｎｏｄｅ  Ｂ  ＴＦＣＩしきい値”ＩＥは，Ｎｏｄｅ  ＢがＵＥに許可することを許されている最大データレートＴＦＣを設定する。
【００６３】
【表４】
2007529938.tif 000006
【００６４】
［ＵＥ  ＴＦＣＩしきい値（ＳＲＮＣ→Ｎｏｄｅ  Ｂ）］
” ＵＥ  ＴＦＣＩしきい値”ＩＥは，ＵＥが使用を許可されている最大データレートＴＦＣを設定する。Ｎｏｄｅ  Ｂは，ＲＮＣからこの値を受信後，Ｎｏｄｅ  Ｂ  ＴＦＣＩしきい値の範囲内で独立にこのパラメータを調整し，それをＵＥに通知することができる。
【００６５】
【表５】
2007529938.tif 000007
【００６６】
［ＡＣＫ／ＮＡＣＫ  ＰＯ（ＳＲＮＣ→Ｎｏｄｅ  Ｂ）］
”ＡＣＫ／ＮＡＣＫ  ＰＯ”ＩＥは，ＨＳＤＰＡと類似の方法でＳＲＮＣによって指定される。このＰＯによって，Ｎｏｄｅ  ＢはハイブリッドＡＲＱ  ＡＣＫ／ハイブリッドＡＲＱ  ＮＡＣＫ情報送信電力をＵＥに設定することができる。ＡＣＫとＮＡＣＫとは別々の電力オフセットで通知することができ，そのためＡＣＫ  ＰＯとＮＡＣＫ  ＰＯとに専用のＩＥを有することに注意されたい。更に，これらのＩＥは，すべてのＥ−ＤＣＨユーザに適用できるセル特定パラメータ又は無線リンク特定，すなわち各ＵＥに別々に定義されるパラメータであり得る。
【００６７】
【表６】
2007529938.tif 000008
【００６８】
［ＡＣＫ／ＮＡＣＫ再送信ファクタ（ＳＲＮＣ→Ｎｏｄｅ  Ｂ）］
”ＡＣＫ／ＮＡＣＫ再送信ファクタ”ＩＥは，ＨＳＤＰＡと類似の方法でＳＲＮＣによって指定される。このＩＥは，ハイブリッドＡＲＱ  ＡＣＫ／ハイブリッドＡＲＱ  ＮＡＣＫが何回再送信されるかを定義する。ＨＳＤＰＡのためのＡＣＫ／ＮＡＣＫ再送信ファクタはＨＳＤＰＡ  ＩＥグループ内に定義されているため，再利用は想定されていない。
【００６９】
【表７】
2007529938.tif 000009
【００７０】
［レート許可ＰＯ（ＳＲＮＣ→Ｎｏｄｅ  Ｂ）］
”レート許可ＰＯ”ＩＥは，ＡＣＫ／ＮＡＣＫ  ＰＯと類似の方法でＳＲＮＣによって指定される。このＰＯによって，Ｎｏｄｅ  Ｂはスケジューリングに関連するダウンリンク信号の電力を設定することができる。このＩＥは，すべてのＥ−ＤＣＨユーザに適用できるセル特定パラメータでも，無線リンク特定パラメータ，すなわち各ＵＥに別々に定義されるパラメータでもよい。
【００７１】
【表８】
2007529938.tif 000010
【００７２】
［レート許可再送信ファクタ（ＳＲＮＣ→Ｎｏｄｅ  Ｂ）］
” レート許可再送信ファクタ”ＩＥは，ＳＲＮＣによって指定される。このＩＥは，スケジューリングに関連するダウンリンク信号が何回再送信されるかを定義する。
【００７３】
【表９】
2007529938.tif 000011
【００７４】
［レート要求ＰＯ（ＳＲＮＣ→Ｎｏｄｅ  Ｂ）］
” レート要求ＰＯ”ＩＥは，ＡＣＫ／ＮＡＣＫ  ＰＯと類似の方法でＳＲＮＣによって指定される。このＰＯによってＮｏｄｅ  Ｂは，ＵＥがアップリンクに関連するスケジューリング信号に適用する電力オフセットを知る。このパラメータによって，Ｎｏｄｅ  Ｂの受信機がＵＥからアップリンクスケジューリング信号情報を取得することが容易になる。
【００７５】
【表１０】
2007529938.tif 000012
【００７６】
［レート要求再送信ファクタ（ＳＲＮＣ→Ｎｏｄｅ  Ｂ）］
” レート要求再送信ファクタ”ＩＥは，ＳＲＮＣによって指定される。Ｎｏｄｅ  Ｂは，ＵＥからレート要求情報を受信するときこの値を用いる。このＩＥは，スケジューリングに関連するアップリンク信号が何回再送信されるかを定義する。
【００７７】
【表１１】
2007529938.tif 000013
【００７８】
［ＵＥしきい値Ｄｔｘ（ＳＲＮＣ→Ｎｏｄｅ  Ｂ）］
” ＵＥしきい値Ｄｔｘ”ＩＥは，ＳＲＮＣによって指定される。ＵＥが，ＵＥしきい値Ｄｔｘ遅延によって設定された期間中非活性であったら，Ｎｏｄｅ  Ｂスケジューラは，ＵＥ  ＴＦＣＩしきい値をこの値まで下げる。
【００７９】
【表１２】
2007529938.tif 000014
【００８０】
［ＵＥしきい値Ｄｔｘ遅延（ＳＲＮＣ→Ｎｏｄｅ  Ｂ）］
” ＵＥしきい値Ｄｔｘ遅延”ＩＥは，ＤＴＸモードに入った後，ＵＥがＵＥ  ＴＦＣＩしきい値をＵＥしきい値Ｄｔｘに設定するまでの非活性期間を定義する。すなわち，ＵＥがこの遅延期間中非活性であった（Ｅ−ＤＣＨ上に何のデータも送信しなかった）ときは，Ｎｏｄｅ  Ｂは，ＵＥが送信すべきデータを有しないか，又はＵＥがデータを配信できないと見なし，それに応じて動作することができる。
【００８１】
【表１３】
2007529938.tif 000015
【００８２】
［ＵＥ  Ｐｔｘ電力による遅延（ＳＲＮＣ→Ｎｏｄｅ  Ｂ）］
” ＵＥ  Ｐｔｘ電力による遅延”ＩＥは，ＵＥ  Ｐｔｘ電力制限によってＵＥが最大ビットレートを利用しない期間を定義する。この遅延期間中，ＵＥが最大許容データレートを利用しなかったが，完全に非活性でもなかった（すなわち，遅延期間中Ｅ−ＤＣＨを介していくらかのデータは送信したが，最大許容データレートは使用しなかった）ときは，Ｎｏｄｅ  Ｂは，ＵＥが電力制限によって高いデータレートで送信することができないか，又はＵＥが最大許容データレートよりも低いレートで送信できるデータを生成していると見なし，それに応じて動作することができる。提案する機能は，最大許容データレートを”ＵＥしきい値Ｄｔｘ”ＩＥによって指示されたレベルまで低下させる。
【００８３】
【表１４】
2007529938.tif 000016
【００８４】
［Ｎｏｄｅ  Ｂ制御下のＴｒＣＨ（ＳＲＮＣ→Ｎｏｄｅ  Ｂ）］
” Ｎｏｄｅ  Ｂ制御下のＴｒＣＨ”ＩＥは，どのトランスポートチャネルがＮｏｄｅ  Ｂスケジューリング制御の配下にあるかを指示する。これによってＮｏｄｅ  Ｂはこの情報をスケジューリングのために用いることができる。（一つの符号化複合トランスポートチャネル（ＣＣＴｒＣＨ）は，いくつかのトランスポートチャネルをそれに結合させることができ，ＴｒＣＨのいくつかはＮｏｄｅ  Ｂを制御でき，いくつかはできないことがある。）
【００８５】
【表１５】
2007529938.tif 000017
【００８６】
［ＵＥ能力情報又はＵＥカテゴリ情報（ＳＲＮＣ→Ｎｏｄｅ  Ｂ）］
” ＵＥ能力情報”ＩＥは，Ｅ−ＤＣＨのためのＵＥ能力に関連する情報をＮｏｄｅ  Ｂに提供するか，又は代替としてＵＥ能力をカテゴリに分け，ＵＥカテゴリパラメータをＮｏｄｅ  Ｂに通知することができる。
【００８７】
【表１６】
2007529938.tif 000018
【００８８】
ＨＡＲＱプロセス数はこのＩＥグループの一例となり得る。したがって更にＵＥ能力パラメータが定義される。
【００８９】
［ＨＡＲＱメモリ区画（Ｎｏｄｅ  Ｂ→ＳＲＮＣ）］
” ＨＡＲＱメモリ区画”ＩＥは，ＨＡＲＱメモリ利用に関する情報を提供する。
【００９０】
【表１７】
2007529938.tif 000019
【００９１】
【表１８】
2007529938.tif 000020
【００９２】
このパラメータを用いる一つの可能な動作モードでは，Ｎｏｄｅ  Ｂがスケジューラの処理速度などに応じてＡＲＱプロセスがいくつ必要かを決定する。送信時間間隔（ＴＴＩ）が１０ｍｓのときは，ＡＲＱプロセス数は２ｍｓのＨＳＤＰＡ  ＴＴＩの場合よりも少ないことが望ましい。（ＨＳＤＰＡの場合は８プロセスあり，ダウンリンク信号通知タイミングの影響も考慮に入れる必要がある。）
【００９３】
Ｎｏｄｅ  Ｂは，利用するプロセス数及びＡＲＱプロセス当たりのメモリ容量を，ＳＲＮＣを介してＵＥに通知する。一つの可能な方法では，ＵＥは，特定のＴＴＩ内でどれだけのデータをどの符号化で送信できるかについてＴＴＩ毎別々に判定する必要がないように，すべてのＡＲＱプロセスのためのメモリ区画さえも想定する。
【００９４】
Ｎｏｄｅ  Ｂスケジューリングにガイドラインを与えるために，更なる情報が必要とされる。例えば，ＵＥがより高いデータレート又は無線リンク制御（ＲＬＣ）バッファサイズ（又はＲＬＣウィンドウサイズ）を要求するのを許可されるまでに予期しなければならない送信遅延をＮｏｄｅ  Ｂへ通知する必要がある。
【００９５】
［いくつかのＱｏＳパラメータ（ＳＲＮＣ→Ｎｏｄｅ  Ｂ）］
Ｎｏｄｅ  Ｂスケジューリングを補助するために，データレートをスケジューリングする際にどのＵＥが優先権を有するかについての情報，例えば（トラヒッククラス，ＳＰＩ，ＧＢＲパラメータ，廃棄タイマ，などのような）いくつかのＱｏＳパラメータが必要である。
【００９６】
図１に戻り，ＲＮＣ１００，１３０を含むネットワーク要素，Ｎｏｄｅ  Ｂ１１０，１３２及びＵＥ１６０のそれぞれが，典型的には特別な又は一般用の信号処理プロセッサを含む。中央処理ユニット（ＣＰＵ）は永続メモリ及び一時情報記憶のためのメモリを含むメモリデバイスと共に提供される。入出力ポートが提供され，これらのさまざまなデバイスのすべてがデータ線，アドレス線及び制御信号線によって相互接続される。永続メモリは，上述のパラメータを搬送するＩＥと共に，上述のメッセージの形成を実行する選択された計算機プログラム言語に従ってコーディングされた命令を記憶するために用いることができる。したがって，特定のネットワーク要素又はデバイス内のさまざまなコンポーネントが，ここで開示されたインタフェースを実装する手段を構成することを理解されたい。
【００９７】
本発明は最良の実施形態に関して示され，説明されたが，本技術の当業者であれば，本発明の精神及び範囲を逸脱することなく，前述の形態及び詳細にさまざまな変更，省略及び削除が可能であることを理解されたい。
【００９８】
［略号］
ＣＣＴｒＣＨ      符号化複合トランスポートチャネル
ＣＲＮＣ          制御ＲＮＣ                              （ネットワーク要素）
Ｅ−ＤＣＨ        強化専用チャネル                  （トランスポートチャネル）
ＦＤＤ            周波数分割デュプレクス                        （動作モード）
ＧＢＲ            保証ビットレート                              （パラメータ）
ＨＡＲＱ          ハイブリッド自動再送信要求                          （機能）
ＨＳＤＰＡ        高速ダウンリンクパケット接続                        （概念）
ＩＥ              情報要素                                      （プロトコル）
ＲＮＣ            無線ネットワークコントローラ            （ネットワーク要素）
ＲＧ              レート許可                                （Ｌ１メッセージ）
ＲＲ              レート要求                                （Ｌ１メッセージ）
ＳＰＩ            スケジューリング優先度指示子                  （パラメータ）
ＳＲＮＣ          サービス提供ＲＮＣ                      （ネットワーク要素）
ＴｒＣＨ          トランスポートチャネル
ＵＥ              ユーザ装置                                （ユーザデバイス）
【図面の簡単な説明】
【００９９】
【図１】本発明に従って無線インタフェースのアップリンク強化を提供するための，Ｎｏｄｅ  Ｂ（又は基地局）と呼ばれる３ＧＰＰネットワーク要素とＲＮＣとの間，並びにＲＮＣ相互間の信号インタフェース（Ｉｕｂ／Ｉｕｒ）を示す。
【図２】先行技術に基づく，第２世代システムの基地局と同等であるＮｏｄｅ  Ｂを介したＵＥからＲＮＣへの無線アップリンク上のパケット送信，及びＲＮＣからＵＥへの否定応答を受信した際のパケットの再送信を示す。
【図３】スケジューラ及び再送信制御をＲＮＣからＮｏｄｅ  Ｂへ移転させることによってアップリンクを強化する強化アップリンク専用チャネル（Ｅ−ＤＣＨ）概念に基づく提案であって，ＲＮＣとＮｏｄｅ  Ｂとの間，並びにＲＮＣ相互間で交換が必要なＩＥ及びパラメータがこれまで説明されていなかった提案を示す。
【図４】本発明に従う，図１及び３のＵＥのようなＵＥを示す。
【図１】
2007529938.tif 000021
【図２】
2007529938.tif 000022
【図３】
2007529938.tif 000023
【図４】
2007529938.tif 000024
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
ユーザ装置（１６０）からネットワーク要素（１３２）への無線アップリンク（１３６）を構成設定するための方法であって，
前記無線アップリンクに前記構成設定をするために，前記ネットワーク要素と無線ネットワークコントローラ（１３０）との間のインタフェース（１３３，１３４）上のそれぞれのメッセージによってセル特定パラメータと無線リンク特定パラメータとの双方を有する情報を送信するステップと，
前記ネットワーク要素において前記無線アップリンクを構成設定するステップと，
ペイロードパケットを前記無線ネットワークコントローラへ送信するために前記ネットワーク要素において前記アップリンクを構成設定した後に，前記ユーザ装置から前記ネットワーク要素へ前記無線アップリンクを介して前記ペイロードパケットを送信するステップとを有する方法。
【請求項２】
前記ネットワーク要素から前記ユーザ装置への無線ダウンリンク上の前記ネットワーク要素において前記ペイロードパケットが正しく受信されたことを肯定応答するステップと，
前記ユーザ装置からの前記の正しい受信に続いて，前記ネットワーク要素から前記無線ネットワークコントローラへ前記ペイロードパケットを送信するステップとを更に有する請求項１に記載の方法。
【請求項３】
他のネットワーク要素（１１０）と前記ユーザ装置との間のアップリンクを構成設定するために，前記無線ネットワークコントローラ（１３０）と他の無線ネットワークコントローラ（１００）との間のインタフェース（１４０，１５０）上の前記情報を前記の他のネットワーク要素へ中継するために送信するステップを更に有する請求項１に記載の方法。
【請求項４】
移動体通信システムであって，
該移動体通信システムが，ユーザ装置（１６０）からネットワーク要素（１３２）への無線アップリンク（１３６）を構成設定するための信号インタフェース（１３３，１３４）によって接続された前記ネットワーク要素（１３２）及び無線ネットワークコントローラ（１３０）を備え，パラメータを含む情報要素を有するメッセージを搬送するための前記インタフェースは，
セル特定パラメータと無線リンク特定パラメータとの双方を有する情報が，
前記ネットワーク要素において前記無線アップリンクに前記の構成設定をするために，前記ネットワーク要素（１３２）と前記無線ネットワークコントローラ（１３０）との間で前記インタフェース（１３３，１３４）のそれぞれのメッセージによって搬送され，かつ，
ペイロードパケットが，該ペイロードパケットを前記無線ネットワークコントローラへ送信するために前記ユーザ装置において前記アップリンクを構成設定した後に，前記ユーザ装置から前記ネットワーク要素へ前記無線アップリンクを介して送信されることを特徴とするシステム。
【請求項５】
前記ペイロードパケットの受信が，前記ネットワーク要素から前記ユーザ装置への無線ダウンリンク（１３８）上の前記ネットワーク要素によって肯定応答され，かつ，前記ペイロードパケットが前記ユーザ装置からの受信に引き続いて，前記ネットワーク要素から前記無線ネットワークコントローラへ送信されることを更に特徴とする請求項４に記載のシステム。
【請求項６】
前記情報が，前記無線ネットワークコントローラ（１３０）と他の無線ネットワークコントローラ（１００）との間のインタフェース（１４０，１５０）を介して，他のネットワーク要素（１１０）へ中継するために送信されることを更に特徴とする請求項５に記載のシステム。
【請求項７】
計算機可読媒体内の少なくとも一時記憶のためのデータ構造であって，該データ構造は，ユーザ装置（１６０）からネットワーク要素（１３２又は１１０）への無線アップリンクを構成設定するために，前記ネットワーク要素（１３２又は１１０）と無線ネットワークコントローラ（１３０又は１００）との間のインタフェース（１３３，１３４又は１２０，１２２）上でそれぞれのメッセージによって転送される，セル特定パラメータと無線リンク特定パラメータとの双方を有する情報を含み，ここで前記の構成設定は，前記無線アップリンクを介して前記ユーザ装置から前記ネットワーク要素へ，そして該ネットワーク要素から前記無線ネットワークコントローラへペイロードパケットを送信できるようにするために，前記ネットワーク要素において実行されるデータ構造。
【請求項８】
前記ユーザ装置から前記ネットワーク要素への前記ペイロードパケットの送信に引き続いて，前記ネットワーク要素から前記ユーザ装置への無線ダウンリンク上の前記ネットワーク要素によって前記ペイロードパケットが正しく受信されたことの肯定応答と，前記ネットワーク要素から前記無線ネットワークコントローラへの前記ペイロードパケットの送信とが行われることを特徴とする請求項７に記載のデータ構造。
【請求項９】
ユーザ装置（１６０）からネットワーク要素（１３２）への無線アップリンク（１３６）を構成設定するための無線ネットワークコントローラ（１３０）であって，
前記無線アップリンクに前記の構成設定をするために，前記ネットワーク要素（１３２）と前記無線ネットワークコントローラ（１３０）との間の第１のインタフェース（１３３，１３４）上のそれぞれのメッセージによって，セル特定パラメータと無線リンク特定パラメータとの双方を有する情報を伝送するための前記第１のインタフェース（１３３，１３４）と，
前記無線ネットワークコントローラ（１３０）と，第２のネットワーク要素（１１０）に接続（１２０，１２２）されている第２の無線ネットワークコントローラ（１００）との間の第２のインタフェース（１４０，１５０）上で情報を伝送するための前記第２のインタフェース（１４０，１５０）とを備え，
そこで前記情報は，
前記第２のネットワーク要素（１１０）と前記ユーザ装置（１６０）との間の第２の無線アップリンク（１８０）と，
前記第１のインタフェース（１３３，１３４）を介して前記ネットワーク要素（１３２）からペイロードパケットを受信するための第１の無線ネットワークコントローラ（１３０）と，
前記ペイロードパケットが前記第２の無線アップリンク（１８０）を介して前記ユーザ装置から前記第２のネットワーク要素（１１０）によって受信された後に，前記第２のネットワーク要素（１１０）から前記ペイロードパケットを受信するための前記第２の無線ネットワークコントローラ（１００）と，
前記ペイロードパケットを前記第２の無線ネットワークコントローラ（１００）から前記第１の無線ネットワークコントローラ（１３０）へ転送するために，前記ペイロードパケットが前記ユーザ装置（１６０）から前記第２のネットワーク要素によって受信された後に，前記第２のネットワーク要素（１１０）から前記無線ネットワークコントローラ（１３０）へ前記の受信したペイロードパケットを送信するための前記第２のネットワーク要素（１１０）とを構成設定するためのものである無線ネットワークコントローラ。
【請求項１０】
ユーザ装置（１６０）から前記ネットワーク要素への無線アップリンク（１３６又は１８０）上のアップリンクチャネルを受信するためのネットワーク要素（１３２又は１１０）であって，
前記無線アップリンク上の前記アップリンクチャネルを構成設定するために，前記ネットワーク要素と無線ネットワークコントローラ（１３０又は１００）との間のそれぞれのメッセージによって，セル特定パラメータと無線リンク特定パラメータとの双方を有する情報を伝送するための非無線インタフェース（１３３，１３４又は１２０，１２２）と，
前記ネットワーク要素と前記ユーザ装置との間の前記アップリンクチャネルのための前記構成設定に関連する信号を伝送するための無線インタフェースと，
前記無線リンク上の前記アップリンクチャネルの前記構成設定が前記ネットワーク要素によって実行された後，前記無線アップリンクを介して前記ユーザ装置から前記ネットワーク要素へペイロードパケットを受信するための無線インタフェースとを備え，
ここで前記非無線インタフェース（１３３，１３４又は１２０，１２２）は，前記ペイロードパケットが前記ユーザ装置（１６０）から前記ネットワーク要素（１３２又は１１０）によって受信された後に，前記ネットワーク要素から前記無線ネットワークコントローラ（１３０又は１００）へ前記ペイロードパケットを搬送するためのものであるネットワーク要素。
【請求項１１】
ユーザ装置からネットワーク要素（１３２又は１１０）への強化アップリンク（１３６又は１８０）上でパケットを伝送するためのユーザ装置（１６０）であって，
前記ユーザ装置は，該ユーザ装置と前記ネットワーク要素との間の無線インタフェースを介して信号を送信及び受信するためのアンテナに共に接続された送信機（１９２）及び受信機（１９０）を備え，
ここで前記ユーザ装置はまた，ユーザ装置（１６０）からネットワーク要素（１３２）への無線アップリンク（１３６）を構成設定するための前記ネットワーク要素と前記ユーザ装置との間の信号を処理するための制御部（１９４）を含み，
ここで情報は，前記無線アップリンクに前記構成設定をするために，前記ネットワーク要素と無線ネットワークコントローラ（１３０）との間のインタフェース（１３３，１３４）上のそれぞれのメッセージによって，セル特定パラメータと無線リンク特定パラメータとの双方を有して送信され，
ここで前記無線アップリンクは，前記ネットワーク要素において構成設定され，
そしてここでペイロードパケットは，前記無線アップリンクが構成設定された後，前記無線アップリンクを介して前記ユーザ装置から前記ネットワーク要素へ送信され，次に前記ネットワーク要素から前記無線ネットワークコントローラへ送信されるユーザ装置。
【請求項１２】
計算機可読媒体内の少なくとも一時記憶のためのデータ構造であって，該データ構造は，前記ユーザ装置から前記ネットワーク要素（１３２又は１１０）への無線アップリンクを構成設定するために，ネットワーク要素（１３２又は１１０）とユーザ装置（１６０）との間のインタフェース（１３６，１３８又は１７０，１８０）上でそれぞれのメッセージによって転送される，セル特定パラメータと無線リンク特定パラメータとの双方を有する情報を含み，ここで前記の構成設定は，前記無線アップリンクを介して前記ユーザ装置から前記ネットワーク要素へ，そして該ネットワーク要素から前記無線ネットワークコントローラへペイロードパケットを送信できるようにするために，前記ネットワーク要素において実行されるデータ構造。
【請求項１３】
前記ユーザ装置から前記ネットワーク要素への前記ペイロードパケットの送信に引き続いて，前記ネットワーク要素から前記ユーザ装置への無線ダウンリンク上の前記ネットワーク要素によって前記ペイロードパケットが正しく受信されたことの肯定応答と，前記ネットワーク要素から前記無線ネットワークコントローラへの前記ペイロードパケットの送信とが行われることを特徴とする請求項１２に記載のデータ構造。
【請求項１４】
前記他のネットワーク要素（１１０）と前記ユーザ装置（１６０）との間の前記アップリンクの前記構成設定は，前記他のネットワーク要素と前記ユーザ装置との間の前記アップリンクを構成設定するステップに引き続き，前記無線ネットワークコントローラへ前記ペイロードパケットを送信するために，前記ユーザ装置と前記他のネットワーク要素との間の前記無線アップリンクを介して，前記ユーザ装置から前記他のネットワーク要素へ前記ペイロードパケットを送信するステップを有する請求項３に記載の方法。
【請求項１５】
前記ネットワーク要素から前記ユーザ装置（１６０）への無線ダウンリンク上の前記ネットワーク要素（１３２）において，前記ペイロードパケットが正しく受信されたことを肯定応答するステップと，
前記ネットワーク要素から前記ユーザ装置（１６０）への無線ダウンリンク上の前記他のネットワーク要素（１１０）において，前記ペイロードパケットが正しく受信されたことを肯定応答するステップとを更に有する請求項１４に記載の方法。
【請求項１６】
前記ネットワーク要素（１３２）と前記無線ネットワークコントローラ（１３０）との間の前記インタフェース（１３３，１３４）上の前記情報要素を送信する前記のステップの前に，前記無線ネットワークコントローラが，前記無線ネットワークコントローラ（１３０）から前記ネットワーク要素（１３２）へ，前記インタフェース（１３３，１３４）上の前記の１以上のメッセージによって前記セル特定パラメータ及び前記無線リンク特定パラメータを有する前記情報要素を送信する前記のステップのために，前記セル特定パラメータ，前記無線リンク特定パラメータ又はその双方の値を決定する請求項１に記載の方法。
【請求項１７】
前記無線ネットワークコントローラ（１３０）による前記の送信ステップは，境界であってその中で前記ネットワーク要素によって選択が行われる境界を指示する少なくとも１つのパラメータを前記ネットワーク要素（１３２）へ送信するステップを含む請求項１に記載の方法。
【請求項１８】
前記無線ネットワークコントローラが，前記セル特定パラメータ，前記無線リンク特定パラメータ又はその双方のために提案された値を有する前記ネットワーク要素からの信号に反応し，かつ前記無線ネットワークコントローラは前記の提案された値を確認又は変更する前記の情報要素を送信する前記のステップを実行する請求項１に記載の方法。
【請求項１９】
前記他のネットワーク要素（１１０）と前記ユーザ装置（１６０）との間の前記アップリンクの前記構成設定は，前記他のネットワーク要素と前記ユーザ装置との間の前記アップリンクを構成設定するステップに引き続き，前記無線ネットワークコントローラへ前記ペイロードパケットを送信するために，前記ユーザ装置と前記他のネットワーク要素との間の前記無線アップリンクを介して，前記ユーザ装置から前記他のネットワーク要素へ前記ペイロードパケットを送信するステップを有する請求項４に記載の移動体通信システム。
【請求項２０】
前記ネットワーク要素（１３２）において前記ペイロードパケットが正しく受信されたことが前記ネットワーク要素から前記ユーザ装置（１６０）への無線ダウンリンク上で肯定応答され，かつ前記他のネットワーク要素（１１０）において前記ペイロードパケットが正しく受信されたことが前記ネットワーク要素から前記ユーザ装置（１６０）への無線ダウンリンク上で肯定応答されることを更に特徴とする請求項１９に記載の移動体通信システム。
【請求項２１】
前記情報要素が前記ネットワーク要素（１３２）と前記無線ネットワークコントローラ（１３０）との間の前記インタフェース（１３３，１３４）上で搬送される前に，前記無線ネットワークコントローラが前記セル特定パラメータ，前記無線リンク特定パラメータ又はその双方の値を決定する請求項４に記載の移動体通信システム。
【請求項２２】
前記無線ネットワークコントローラが，境界であってその中で前記無線アップリンクの前記構成設定のために前記ネットワーク要素によって選択が行われる境界を指示する少なくとも１つのパラメータを前記ネットワーク要素（１３２）へ送信することを特徴とする請求項４に記載の移動体通信システム。
【請求項２３】
前記無線ネットワークコントローラが，前記セル特定パラメータ，前記無線リンク特定パラメータ又はその双方のために提案された値を有する前記ネットワーク要素からの信号に反応し，かつ前記無線ネットワークコントローラは，前記の提案された値を確認又は変更する前記１以上のメッセージを搬送することを特徴とする請求項４に記載の移動体通信システム。
【請求項２４】
前記情報要素の前記セル特定パラメータを，セル設定要求メッセージ，セル再構成要求メッセージ，共通トランスポートチャネル設定メッセージ，共通トランスポートチャネル再構成要求メッセージ，物理共有チャネル再構成要求メッセージ，又は前記無線ネットワークコントローラから前記ネットワーク要素への間で定義された新規のメッセージに含むことを特徴とする請求項７又は１２に記載のデータ構造。
【請求項２５】
前記情報要素が前記無線アップリンクユーザに起因する合計許容干渉を定義するパラメータを含み，前記ネットワーク要素のスケジューラは，アップリンクユーザ雑音の合計値が前記パラメータを超えることを許可することを許可されていない請求項２４に記載のデータ構造。
【請求項２６】
前記情報要素がスケジューリングにおいて，前記ネットワーク要素が用いるセルの総アップリンク負荷の目標値をセル内の容量を最適化するように定義する請求項７又は１２に記載のデータ構造。
【請求項２７】
前記情報要素を，無線リンク設定要求メッセージ，無線リンク再構成準備メッセージ，無線リンク再構成要求メッセージ，又はアップリンクパラメータ配信のために定義された新規メッセージに含む請求項７又は１２に記載のデータ構造。
【請求項２８】
前記ネットワーク要素から前記無線ネットワークコントローラへのパラメータを，無線リンク設定応答メッセージ，無線リンク再構成準備完了メッセージ，無線リンク再構成応答メッセージ，又は前記ネットワーク要素から前記無線ネットワークコントローラへのパラメータ配信のために定義された新規メッセージに追加することができる請求項２７に記載のデータ構造。
【請求項２９】
前記ネットワーク要素のスケジューラが前記ユーザ装置に許諾することを許可されている最大データレートＴＦＣを設定するネットワーク要素ＴＦＣＩしきい値を前記情報要素が含み，該情報要素は前記無線ネットワークコントローラから前記ネットワーク要素へ転送するためのものである請求項２７に記載のデータ構造。
【請求項３０】
前記情報要素が前記ユーザ装置に許可される最大データレートＴＦＣを設定するためのユーザ装置ＴＦＣＩしきい値を含み，前記情報要素は前記無線ネットワークコントローラから前記ネットワーク要素へ転送するためのものであり，かつ前記情報要素は前記ネットワーク要素のスケジューラが前記ネットワーク要素ＴＦＣＩしきい値によって設定された限度内で前記パラメータを独立に調整し，それを前記ユーザ装置に通知するために用いるためのものである請求項２７に記載のデータ構造。
【請求項３１】
ハイブリッドＡＲＱ肯定応答情報の前記ユーザ装置への送信電力を設定する際に前記ネットワーク要素が用いるための，前記無線ネットワークコントローラから前記ネットワーク要素へ転送するための肯定応答電力オフセット情報要素を特徴とする請求項２７に記載のデータ構造。
【請求項３２】
前記情報要素が，ハイブリッドＡＲＱを何回再送信するかを定義するために，前記無線ネットワークコントローラが割り当てる肯定応答再送信ファクタを含むことを特徴とする請求項２７に記載のデータ構造。
【請求項３３】
スケジューリング関連のダウンリンク信号電力設定において前記ネットワーク要素が用いるために，前記無線ネットワークコントローラから前記ネットワーク要素へ転送するためのレート許可電力オフセット情報要素を前記情報要素が含むことを特徴とする請求項２７に記載のデータ構造。
【請求項３４】
スケジューリング関連のダウンリンク信号を何回再送信するかを定義するために，前記無線ネットワークコントローラが前記ネットワーク要素に割り当てるレート許可再送信ファクタ情報要素を前記情報要素が含むことを特徴とする請求項２７に記載のデータ構造。
【請求項３５】
前記ユーザ装置がアップリンク関連スケジューリング信号に適用する電力オフセットを評価する際に前記ネットワーク要素が用いるために，前記無線ネットワークコントローラから前記ネットワーク要素へ転送するためのレート要求電力オフセットを前記情報要素が含むことを特徴とする請求項２７に記載のデータ構造。
【請求項３６】
スケジューリング関連のアップリンク信号を何回再送信するかを定義するために，前記ユーザ装置からレート変更要求情報を受信したときに前記ネットワーク要素が用いるための，前記無線ネットワークコントローラが前記ネットワーク要素に割り当てるレート要求再送信ファクタ情報要素を前記情報要素が含むことを特徴とする請求項２７に記載のデータ構造。
【請求項３７】
ユーザ装置しきい値Ｄｔｘであって，前記ユーザ装置が設定された期間非活性であったら，前記ネットワーク要素のスケジューラが前記ユーザ装置ＴＦＣＩしきい値を前記ユーザ装置しきい値Ｄｔｘの値まで下げるように，前記無線ネットワークコントローラが前記ネットワーク要素に割り当てる前記ユーザ装置しきい値Ｄｔｘ情報要素を前記情報要素が含むことを特徴とする請求項２７に記載のデータ構造。
【請求項３８】
ＤＴＸモードに入った後，前記ユーザ装置が前記ユーザ装置ＴＦＣＩしきい値を前記ユーザ装置しきい値Ｄｔｘに等しくなるように設定するまでの非活性期間を定義するために，前記無線ネットワークコントローラが前記ネットワーク要素に割り当てるユーザ装置しきい値Ｄｔｘ情報要素を前記情報要素が含むことを特徴とする請求項３７に記載のデータ構造。
【請求項３９】
ユーザ装置Ｐｔｘ電力制限によって前記ユーザ装置が最大ビットレートを利用しない期間を定義する”ユーザ装置Ｐｔｘ電力による遅延”情報要素を前記情報要素が含むことを特徴とする請求項２７に記載のデータ構造。
【請求項４０】
スケジューリングのために前記ネットワーク要素が用いるための，前記ネットワーク要素のスケジューリング制御下のトランスポートチャネルを指示する”Ｎｏｄｅ  Ｂ制御下のＴｒＣＨ”情報要素を前記情報要素が含むことを特徴とする請求項２７に記載のデータ構造。
【請求項４１】
トランスポートチャネル数（ＴｒＣＨ）が結合された符号化複合トランスポートチャネル（ＣＣＴｒＣＨ）内のいくつかのＴｒＣＨを制御できる前記ネットワーク要素を特徴とする請求項４０に記載のデータ構造。
【請求項４２】
前記情報要素がユーザ装置能力情報又はユーザ装置カテゴリ情報を含む，すなわち強化専用チャネルのためのユーザ装置能力に関連した情報を提供するために，前記無線ネットワークコントローラから前記ネットワーク要素へ提供されるか又は，代替として前記ユーザ装置能力をカテゴリ分けすることができ，かつ前記ユーザ装置カテゴリパラメータを前記ネットワーク要素へ通知することができることを特徴とする請求項２７に記載のデータ構造。
【請求項４３】
前記情報要素が，ＨＡＲＱメモリ利用法のための情報を提供するためのＨＡＲＱメモリ区画情報要素を含むことを特徴とする請求項４２に記載のデータ構造。
【請求項４４】
前記ユーザ装置がより高いデータレート，ＲＬＣバッファサイズ又はＲＬＣウィンドウサイズを要求することを許可されるまでに予期しなければならない伝送遅延を知らせる前記情報要素を特徴とする請求項７又は１２に記載のデータ構造。
【請求項４５】
ユーザ装置がデータレート，トラヒッククラス及び他のパラメータに関してＱｏＳに関連する優先権を有するスケジューリングにおいて，前記ネットワーク要素を補助するためのＱｏＳパラメータを前記情報要素が含むことを特徴とする請求項７又は１２に記載のデータ構造。
【手続補正２】
【補正対象書類名】明細書
【補正対象項目名】００４７
【補正方法】変更
【補正の内容】
【００４７】
Ｅ−ＤＣＨチャネルを設定，再構成するための無線リンク（ＲＬ）関連ＩＥを以下に掲げる。ＳＲＮＣからＮｏｄｅ  Ｂ１３２への回線１３３上を搬送されるパラメータは，無線リンク設定要求メッセージ，無線リンク再構成準備メッセージ，無線リンク再構成要求メッセージ，又はまだ定義されていないメッセージに追加することができる。
【手続補正３】
【補正対象書類名】図面
【補正対象項目名】図２
【補正方法】変更
【補正の内容】
【図２】
2007529938.tif 000025
【国際調査報告】
2007529938.tif 000026
2007529938.tif 000027
2007529938.tif 000028